(57)【要約】【課題】像形成構造体を高密度に装着することができる画像形成装置と、画像形成装置に高密度に装着することができる像形成構造体とを提供する。【解決手段】画像形成装置１０は、画像形成装置本体１６と、画像形成装置本体１６内に着脱される感光体ユニット２００とを有し、感光体ユニット２００は、画像形成装置本体１６内に装着された状態において隣接する他の感光体ユニット２００に形成された第２の凹部２４２に対向する位置に第１の凹部２４０が形成されている。【選択図】図６
2010210860.tif 000002
【特許請求の範囲】
【請求項１】
画像形成装置本体と、
前記画像形成装置本体内に着脱される像形成構造体と、
を有し、
前記像形成構造体は、前記画像形成装置本体内に装着された状態において、隣接する他の像形成構造体に形成された凹部に対向する位置に、凹部が形成されている画像形成装置。
【請求項２】
前記凹部は、前記像形成構造体の長手方向における略中央部に形成されている請求項１記載の画像形成装置。
【請求項３】
前記凹部は、前記像形成構造体の長手方向における両端部側にそれぞれ位置するように２つが形成されている請求項１記載の画像形成装置。
【請求項４】
画像形成装置本体と、
前記画像形成装置本体内に着脱される像形成構造体と、
を有し、
前記像形成構造体は、前記画像形成装置本体内に装着された状態において、一端部側に隣接する他の像形成構造体に形成された凹部に対向するように第１の凹部が形成され、他端部側に隣接するさらに他の像形成構造体に形成された凹部に対向するように第２の凹部が形成されている画像形成装置。
【請求項５】
互いに隣り合う前記複数の像形成構造体間の隙間をＬ１、前記第１の凹部の深さをＬ２、前記第２の凹部の深さをＬ３とした場合、
Ｌ１  ＜  Ｌ２  ＋  Ｌ３
である請求項４記載の画像形成装置。
【請求項６】
前記第１の凹部及び前記第２の凹部は、前記像形成構造体の長手方向における略中央部に形成されている請求項４又は５記載の画像形成装置。
【請求項７】
前記第１の凹部及び前記第２の凹部は、前記像形成構造体の長手方向における両端部側にそれぞれ位置するように、それぞれが２つが形成されている請求項４又は５記載の画像形成装置。
【請求項８】
前記複数の像形成構造体は、
像形成構造体本体と、
前記像形成構造体本体から露出可能な露出部分備え、前記像形成構造体に装着された像保持体と、
前記保持体が備える露出部分を覆う位置と、該露出部分を前記像形成構造体本体から露出する位置との間で移動可能するように開閉する開閉部と、
をそれぞれ有する請求項１乃至７いずれか記載の画像形成装置。
【請求項９】
画像形成装置本体内に着脱され、前記画像形成装置本体内に装着された状態において、隣接する他の像形成構造体に形成された凹部に対向する位置に、凹部が形成されている像形成構造体。
【請求項１０】
画像形成装置本体内に着脱され、前記画像形成装置本体内に装着された状態において、一端部側に隣接する他の像形成構造体に形成された凹部に対向するように第１の凹部が形成され、他端部側に隣接するさらに他の像形成構造体に形成された凹部に対向するように第２の凹部が形成されている像形成構造体。
【発明の詳細な説明】
【技術分野】
【０００１】
本発明は、画像形成装置及び像形成構造体に関する。
【背景技術】
【０００２】
特許文献１には、電子写真画像形成装置本体に着脱可能なプロセスカートリッジにおいて、電子写真感光体と、トナーを用いて、前記電子写真感光体に形成された潜像を現像するための現像手段と、前記現像手段によって用いられるトナーを収納するためのトナー収納部と、前記プロセスカートリッジを把持するための、前記トナー収納部の外郭に前記電子写真感光体の軸線と実質的に平行に、及び、前記平行方向の全域にわたって設けられた凹部と、を有し、前記プロセスカートリッジは前記装置本体に対して前記電子写真感光体の軸線と交差する方向から着脱されるプロセスカートリッジが開示されている。
【先行技術文献】
【特許文献】
【０００３】
【特許文献１】特開平１０−１４９０８０号公報
【発明の概要】
【発明が解決しようとする課題】
【０００４】
本発明は、像形成構造体を高密度に装着することができる画像形成装置と、画像形成装置に高密度に装着することができる像形成構造体とを提供することを目的とする。
【課題を解決するための手段】
【０００５】
請求項１に係る本発明は、画像形成装置本体と、前記画像形成装置本体内に着脱される像形成構造体と、を有し、前記像形成構造体は、前記画像形成装置本体内に装着された状態において、隣接する他の像形成構造体に形成された凹部に対向する位置に、凹部が形成されている画像形成装置である。
【０００６】
請求項２に係る本発明は、前記凹部は、前記像形成構造体の長手方向における略中央部に形成されている請求項１記載の画像形成装置である。
【０００７】
請求項３に係る本発明は、前記凹部は、前記像形成構造体の長手方向における両端部側にそれぞれ位置するように２つが形成されている請求項１記載の画像形成装置である。
【０００８】
請求項４に係る本発明は、画像形成装置本体と、前記画像形成装置本体内に着脱される像形成構造体と、を有し、前記像形成構造体は、前記画像形成装置本体内に装着された状態において、一端部側に隣接する他の像形成構造体に形成された凹部に対向するように第１の凹部が形成され、他端部側に隣接するさらに他の像形成構造体に形成された凹部に対向するように第２の凹部が形成されている画像形成装置である。
【０００９】
請求項５に係る本発明は、互いに隣り合う前記複数の像形成構造体間の隙間をＬ１、前記第１の凹部の深さをＬ２、前記第２の凹部の深さをＬ３とした場合、
Ｌ１  ＜  Ｌ２  ＋  Ｌ３
である請求項４記載の画像形成装置である。
【００１０】
請求項６に係る本発明は、前記第１の凹部及び前記第２の凹部は、前記像形成構造体の長手方向における略中央部に形成されている請求項４又は５記載の画像形成装置である。
【００１１】
請求項７に係る本発明は、前記第１の凹部及び前記第２の凹部は、前記像形成構造体の長手方向における両端部側にそれぞれ位置するように、それぞれが２つが形成されている請求項４又は５記載の画像形成装置である。
【００１２】
請求項８に係る本発明は、前記複数の像形成構造体は、像形成構造体本体と、前記像形成構造体本体から露出可能な露出部分備え、前記像形成構造体に装着された像保持体と、前記保持体が備える露出部分を覆う位置と、該露出部分を前記像形成構造体本体から露出する位置との間で移動可能するように開閉する開閉部と、をそれぞれ有する請求項１乃至７いずれか記載の画像形成装置である。
【００１３】
請求項９に係る本発明は、画像形成装置本体内に着脱され、前記画像形成装置本体内に装着された状態において、隣接する他の像形成構造体に形成された凹部に対向する位置に、凹部が形成されている像形成構造体である。
【００１４】
請求項１０に係る本発明は、画像形成装置本体内に着脱され、前記画像形成装置本体内に装着された状態において、一端部側に隣接する他の像形成構造体に形成された凹部に対向するように第１の凹部が形成され、他端部側に隣接するさらに他の像形成構造体に形成された凹部に対向するように第２の凹部が形成されている像形成構造体である。
【発明の効果】
【００１５】
請求項１に係る本発明によれば、像形成構造体を高密度に装着することができる画像形成装置を提供することができる。
【００１６】
請求項２に係る本発明によれば、請求項１に係る本発明が奏する効果を奏することに加えて、像形成構造体を片手で把持して画像形成装置本体内に着脱することができる画像形成装置を提供することができる。
【００１７】
請求項３に係る本発明によれば、請求項１に係る本発明が奏する効果を奏することに加えて、像形成構造体を両手で把持して像形成構造体を画像形成装置本体内に着脱することができる画像形成装置を提供することができる。
【００１８】
請求項４に係る本発明によれば、像形成構造体を高密度に装着することができる画像形成装置を提供することができる。
【００１９】
請求項５に係る本発明によれば、請求項４に係る本発明が奏する効果を奏することに加えて、互いに隣り合う複数の像形成構造体を近接して配置することができる画像形成装置を提供することができる。
【００２０】
請求項６に係る本発明によれば、請求項４に係る本発明が奏する効果に加えて、像形成構造体を片手で把持して画像形成装置本体内に着脱することができる画像形成装置を提供することができる。
【００２１】
請求項７に係る本発明によれば、請求項４に係る本発明が奏する効果を奏することに加えて、像形成構造体を両手で把持して画像形成装置本体内に着脱することができる画像形成装置を提供することができる。
【００２２】
請求項８に係る本発明によれば、請求項１乃至７いずれかに係る本発明が奏する効果に加えて、着脱をする際に像保持体を保護することができる画像形成装置を提供することができる。
【００２３】
請求項９に係る本発明によれば、画像形成装置本体内に高密度に装着することができる像形成構造体を提供することができる。
【００２４】
請求項１０に係る本発明によれば、画像形成装置本体内に高密度に装着することができる像形成構造体を提供することができる。
【図面の簡単な説明】
【００２５】
【図１】本発明の実施形態に係る画像形成装置を示す斜視図である。
【図２】図１に示す画像形成装置を右側面から示す断面図である。
【図３】図１に示す画像形成装置に像形成構造体が着脱される様子を示す断面図である。
【図４】図１に示す画像形成装置に用いられ、本発明の実施形態に係る像形成構造体を示す断面図である。
【図５】図４に示す像形成構造体を示す斜視図である。
【図６】図４に示す像形成構造体が画像形成装置本体内に装着された際の配置を右側面から示す図である。
【図７】図４に示す像形成構造体が画像形成装置本体内に装着された際の配置を模式的に示す平面図である。
【図８】第１の変形例に係る像形形成構造体が画像形成装置本体内に装着された際の配置を模式的に示す平面図である。
【図９】第２の変形例に係る像形成構造体を示す断面図である。
【発明を実施するための形態】
【００２６】
次に、本発明を実施するための形態を図面を参照して説明する。
図１及び図２には、本発明の第１の形実施形態に係る画像形成装置１０が示されている。図１及び図２に示されるように、画像形成装置１０は画像形成装置本体１６を有する。
【００２７】
画像形成装置本体１６には、前方側開閉部１８がヒンジ２０を用いて画像形成装置本体１６に対して開閉することができるように取り付けられている。また、画像形成装置本体１６には、主開閉部２６がヒンジ２８を用いて画像形成装置本体１６に対して開閉することができるように装着されている。また、画像形成装置本体１６の前側には、操作部３２が取り付けられている。
【００２８】
前方側開閉部１８には、供給用開閉部２２が開閉できるように取り付けられている。供給用開閉部２２は、通常は図１及び図２に示すように前方側開閉部１８に対して閉じられている。後述するシート供給装置１１０に収納されたシートとは異なるシートを用いる際に、供給用開閉部２２は前方側開閉部１８に対して開かれる。
【００２９】
主開閉部２６は、通常は画像形成装置本体１６に対して閉じられている。後述する感光体ユニット２００Ｙ、２００Ｍ、２００Ｃ、２００Ｂを画像形成装置本体１６内に着脱する際に主開閉部２６は開かれる。主開閉部２６に装着され、後述する支持ロール７０、中間転写ベルト６２等が前方側開閉部１８と干渉することを防止するため、主開閉部２６を開くことに先立ち、前方側開閉部１８が画像形成装置本体１６に対して開かれる。
【００３０】
前方側開閉部１８を画像形成装置本体１６に対して閉じる際には、前方側開閉部１８を閉じることに先立って、主開閉部２６が画像形成装置本体１６に対して閉じられる。主開閉部２６は、上側の面が、画像が形成されたシートが排出される排出部として用いられる。
【００３１】
主開閉部２６には、副開閉部３０が主開閉部２６に対して開閉することができるように取り付けられている。副開閉部３０は主開閉部２６とは独立して開閉することができ、主開閉部２６が画像形成装置本体１６に対して閉じられた状態で、主開閉部２６に対して開いた状態とすることができる。副開閉部３０は、後述するクリーニング装置９０の全部又は一部を画像形成装置本体１６内に着脱する際に開かれる。
【００３２】
操作部３２は、例えば、画像形成するシートの枚数を入力するテンキーや、画像形成を開始する際に操作される開始ボタン等を有する。
【００３３】
画像形成装置本体１６内には、シートに画像を形成する画像形成部４０が設けられている。画像形成部４０は、例えば４個の感光体ユニット２００Ｙ、２００Ｍ、２００Ｃ、２００Ｋを有する。
【００３４】
感光体ユニット２００Ｙ、２００Ｍ、２００Ｃ、２００Ｋは、それぞれが像形成構造体として用いられていて、感光体ドラム２１０Ｙ、２１０Ｍ、２１０Ｃ、２１０Ｋをそれぞれが有する。感光体ユニット２００Ｙ、２００Ｍ、２００Ｃ、２００Ｋは、画像形成装置本体１６の後側（図２における後側）から順に、感光体ユニット２００Ｙ、２００Ｍ、２００Ｃ、２００Ｋの順に並べられている。感光体ユニット２００Ｙ、２００Ｍ、２００Ｃ、２００Ｋの詳細は後述する。
【００３５】
感光体ドラム２１０Ｙ、２１０Ｍ、２１０Ｃ、２１０Ｋは、それぞれが像保持体として用いられている。
【００３６】
また、画像形成部４０は、潜像形成装置として用いられる光書き込み装置４４を有する。光書き込み装置４４は、感光体ドラム２１０Ｙ、２１０Ｍ、２１０Ｃ、２１０Ｋのそれぞれに対して光を照射して、感光体ドラム２１０Ｙ、２１０Ｍ、２１０Ｃ、２１０Ｋのぞれぞれの表面に潜像を形成する。
【００３７】
また、画像形成部４０は、現像装置４６Ｙ、４６Ｍ、４６Ｃ、４６Ｋを有する。現像装置４６Ｙは、収納するイエローのトナーを用いて感光体ドラム２１０Ｙに形成された潜像を現像する。現像装置４６Ｍは、収納するマゼンタのトナーを用いて感光体ドラム２１０Ｍに形成された潜像を現像する。現像装置４６Ｃは、収納するシアンのトナーを用いて感光体ドラム２１０Ｃに形成された潜像を現像する。現像装置４６Ｋは、収納する黒のトナーを用いて感光体ドラム２１０Ｋに形成された潜像を現像する。
【００３８】
また、画像形成部４０は、転写装置６０を有する。転写装置６０は、転写体として用いられる中間転写ベルト６２を有する。中間転写ベルト６２は、無端状であって、支持ロール６４、６６、６８、７０、７２によって、図２に矢印で示す方向に回転することができるように支持されている。支持ロール６４、６６、６８、７０、７２の中の少なくとも１つは、モータ（不図示）に連結されていて、モータからの駆動伝達を受けて回転することで、中間転写ベルト６２に駆動を伝達する。
【００３９】
また、転写装置６０は、１次転写装置として用いられる１次転写ロール８０Ｙ、８０Ｍ、８０Ｃ、８０Ｋを有する。１次転写ロール８０Ｙは、現像装置４６Ｙによって潜像が現像されることにより感光体ドラム２１０Ｙの表面に形成されたイエローのトナー像を中間転写ベルト６２に転写する。１次転写ロール８０Ｍは、現像装置４６Ｍによって潜像が現像されることにより感光体ドラム２１０Ｍの表面に形成されたマゼンタのトナー像を中間転写ベルト６２に転写する。１次転写ロール８０Ｃは、現像装置４６Ｃによって潜像が現像されることにより感光体ドラム２１０Ｃの表面に形成されたシアンのトナー像を中間転写ベルト６２に転写する。１次転写ロール８０Ｋは、現像装置４６Ｋによって潜像が現像されることにより感光体ドラム２１０Ｋの表面に形成された黒のトナー像を中間転写ベルト６２に転写する。
【００４０】
また、転写装置６０は、２次転写装置として用いられる２次転写ロール８４を有する。２次転写ロール８４は、中間転写ベルト６２に転写されたイエローのトナー像、マゼンタのトナー像、シアンのトナー像、及び黒のトナー像を、シートに対してさらに転写する。
【００４１】
また、転写装置６０は、クリーニング装置９０を有する。クリーニング装置９０は、２次転写ロール８４でシートに対して各色のトナー像が転写された後に、中間転写ベルト６２の表面に残留する各色のトナーを掻き落とす掻き落とし部材９２を有する。クリーニング装置９０の本体内には、掻き落とし部材９２によって掻き落とされたトナーが回収される。クリーニング装置９０は、副開閉部３０を開くことによって形成される開口部を介して画像形成装置本体１６内に着脱することができるようになっている。
【００４２】
転写装置６０を構成する部材のうち、中間転写ベルト６２、支持ロール６４、６６、６８、７０、７２、1次転写ロール８０Ｙ、８０Ｍ、８０Ｃ、８０Ｋ、及びクリーニング装置９０は主開閉部２６に装着されている。転写装置６０のうち、２次転写ロール８４は画像形成装置本体１６に装着されている。
【００４３】
また、画像形成装置本体１６内には、２次転写ロール８４によってシートに転写されたトナー像を、シートに定着する定着装置５０が設けられている。
【００４４】
また、画像形成装置本体１６内には、回収容器３００が設けられている。回収容器３００には、現像装置４６Ｙ、４６Ｍ、４６Ｃ、４６Ｋから排出された余剰現像剤が回収される。回収容器３００は、例えば感光体ユニット２００Ｋと一体となっている。
【００４５】
また、画像形成装置本体１６内には、画像形成部４０にシートを供給するシート供給装置１１０が装着されている。シート供給装置１１０は、画像形成装置本体１６の前側（図２における左側）に引き出すことができるようになっていて、シート供給装置１１０を画像形成装置本体１６から引き出した状態でシートが補充される。
【００４６】
シート供給装置１１０は、例えば普通紙等のシートを積層した状態で収納するシート収納容器１１２を有する。また、シート供給装置１１０は、シート収納容器１１２に収納された最上位のシートを抽出し、抽出したシートを画像形成部４０へ向けて搬送する搬送ロール１１４を有する。また、シート供給装置１１０は、シートを捌き、画像形成部４０に複数枚のシートが重なった状態で搬送されることを防止するために用いられるリタードロール１１６を有する。
【００４７】
また、画像形成装置本体１６内には、シートの搬送に用いられる搬送路１３０が形成されている。搬送路１３０は、主搬送路１３２と、反転搬送路１３４と、副搬送路１３６とからなる。
【００４８】
主搬送路１３２は、シート供給装置１１０から供給されたシートを画像形成部４０に搬送し、画像が形成されたシートを画像形成装置本体１６外に排出するために用いられる。主搬送路１３２に沿って、シートが搬送される方向における上流側から順に、先述の搬送ロール１１４及びリタードロール１１６と、レジストロール１４２と、先述の２次転写ロール８４と、先述の定着装置５０と、排出ロール１４４とが配置されている。
【００４９】
レジストロール１４２は、シート供給装置１１０側から搬送されてきたシートの先端部を一時的に停止させ、中間転写ベルト６２に各色のトナー像が転写されるタイミングと合致するようにシートを２次転写ロールに向けて送り出す。
【００５０】
排出ロール１４４は、定着装置５０によって各色のトナーが定着されたシートを画像形成装置本体１６外に排出する。
【００５１】
反転搬送路１３４は、一方の面にトナー像が形成されたシートを反転させつつ再び画像形成部４０に向けて供給するために用いられる搬送路である。反転搬送路１３４に沿って、例えば２つの反転搬送ロール１４８、１４８が配置されている。反転搬送路１３４には、シートの後端部を挟みこんだ状態で排出ロール１４４が逆回転することでシートが後端部側から供給され、供給されたシートが反転搬送ロール１４８、１４８によって、レジストロール１４２の上流の位置へと搬送される。
【００５２】
副搬送路１３６は、シート供給装置１１０に収納されたシートとは異なるシートを画像形成部４０に供給するための搬送路である。副搬送路１３６には、供給用開閉部２２を開いた状態で画像形成装置本体１６の前側からシートが供給される。副搬送路１３６に沿って、搬送ロール１５２とリタードロール１５４とが設けられている。搬送ロール１５２は、副搬送路１３６に供給されシートを画像形成部４０に向けて搬送する。リタードロール１５４は、副搬送路１３６に供給されたシートを捌き、複数枚のシートが重なった状態でシートが画像形成部４０に搬送されることを防止するために用いられる。
【００５３】
図３には、画像形成装置本体１６内に感光体ユニット２００が着脱される様子が示されている。図３に示されるように、画像形成装置本体１６に対して主開閉部２６を開くと、転写装置６０の中間転写ベルト６２、支持ロール６４、６６、６８、７０、７２、1次転写ロール８０Ｙ、８０Ｍ、８０Ｃ、８０Ｋ、及びクリーニング装置９０が主開閉部２６と共に移動して、画像形成装置本体１６に開口部３６が形成される。そして、開口部３６を介して画像形成装置本体１６内に、感光体ユニット２００Ｙ、２００Ｍ、２００Ｃ、２００Ｋがそれぞれ着脱される。回収容器３００は、先述のように感光体ユニット２００Ｙと一体とされている。このため、回収容器３００は、感光体ユニット２００Ｋと一体して画像形成装置本体１６内に着脱される。
【００５４】
図４及び図５には、感光体ユニット２００Ｍが示されている。図４及び図５に示されるように、感光体ユニット２００Ｍは、感光体ユニット本体２０２Ｍを有し、感光体ユニット本体２０２Ｍに先述の感光体ドラム２１０Ｍが装着されている。感光体ドラム２１０Ｍの一部分は、露出部分２１２Ｍとして感光体ユニット本体２０２Ｍの外部に露出している。
【００５５】
感光体ユニット本体２０２Ｍ内には、感光体ドラム２１０Ｍの表面を均一に帯電する帯電装置２２０Ｍが装着されている。帯電装置２２０Ｍは、感光体ドラム２１０Ｍに接触する帯電ロール２２２Ｍを有する。帯電装置２２０Ｍによって均一に帯電された感光体ドラム２１０Ｍの表面に、光書き込み装置４４（図１参照）によって潜像が書き込まれる。
【００５６】
また、感光体ユニット本体２０２Ｍ内には、クリーニング装置として用いられる掻き落とし部材２２４Ｍが装着されている。掻き落とし部材２２４Ｍは、１次転写ロール８０Ｍ（図１参照）によってマゼンタのトナー像が中間転写ベルト６２に転写された後に感光体ドラム２１０Ｍの表面に残留したマゼンタトナーを掻き落とす。
【００５７】
また、感光体ユニット本体２０２Ｍ内には、掻き落とし部材２２４Ｍによって感光体ドラム２１０Ｍの表面から掻き落とされたマゼンタのトナーを回収する回収室２２６Ｍが設けられている。
【００５８】
また、感光体ユニット本体２０２Ｍには、支持部材２３２Ｍを介してシャッタ２３０Ｍが取り付けられている。支持部材２３２Ｍ及びシャッタ２３０Ｍは、感光体ドラム２１０Ｍの露出部分２１２Ｍを覆う位置（以下、覆う位置とする）と、露出部分２１２Ｍを感光体ユニット本体２０２から露出させる位置（以下、露出させる位置とする）との間で移動するように開閉する開閉部として用いられている。図４には、シャッタ２０３Ｍ及び支持部材２３２Ｍが覆う位置に移動した状態が示され、図６にはシャッタ２０３Ｍ及び支持部材２３２Ｍが露出させる位置に移動した状態が示されている。
【００５９】
シャッタ２３０Ｍ及び支持部材２３２が露出させる位置にある場合、シャッタ２３０Ｍ及び支持部材２３２Ｍは、第２の凹部２４２を上方から覆うように配置された状態となる（図６参照）。また、シャッタ２３０Ｍ及び支持部材２３２が露出させる位置にある場合、シャッタ２３０Ｍは、上向きの面が中間転写ベルト６２と略平行な状態となる。
【００６０】
シャッタ２３０Ｍ及び支持部材２３２Ｍは、感光体ユニット２００が画像形成装置本体１６に装着されていない状態においては覆う位置にある。また、シャッタ２３０Ｍ及び支持部材２３２Ｍは、感光体ユニット２００が画像形成装置本体１６に装着されて、画像形成装置本体１６に対して主開閉部２６が開かれている際には覆う位置にある。
【００６１】
感光体ユニット２００が画像形成装置本体１６に装着された状態で、主開閉部２６が画像形成装置本体１６に対して閉じられると、主開閉部２６が閉じられることに連係して、シャッタ２３０Ｍ及び支持部材２３２Ｍが露出させる位置へと移動する。また、主開閉部２６が画像形成装置本体１６に対して開かれると、主開閉部２６が開かれることに連係してシャッタ２３０Ｍ及び支持部材２３２Ｍが覆う位置へと移動する。
【００６２】
主開閉部２６の開閉と、シャッタ２３０Ｍ及び支持部材２３２Ｍの開閉との連係は、図示を省略するリンク機構等により実現される。
【００６３】
また、感光体ユニット２００Ｍには、例えば感光体ユニット本体２０２Ｍに、第１の凹部２４０Ｍと第２の凹部２４２Ｍとが形成されている。
【００６４】
尚、感光体ユニット２００Ｙ、２００Ｃ、２００Ｋは、用いられるトナーの色は異なるものの感光体ユニット２００Ｍと同じ構成であるため説明を省略する。
【００６５】
図６及び図７には、感光体ユニット２００が画像形成装置本体１６内に装着された際の配置が示されている。
図６及び図７に示すように、感光体ユニット２００Ｍの第１の凹部２４０Ｍは、隣接する他の感光体ユニットである感光体ユニット２００Ｙに形成された第２の凹部２４２Ｙに対向する位置に形成されている。また、感光体ユニット２００Ｍの第２の凹部２４２Ｍは、隣接する他の感光体ユニットである感光体ユニット２００Ｃに形成された第１の凹部２４０Ｃに対向する位置に形成されている。
【００６６】
また、感光体ユニット２００Ｍには、一端部側に隣接する他の感光体ユニットである感光体ユニット２００Ｙに形成された第２の凹部２４２Ｙに対向するように第１の凹部２４０Ｍが形成され、他端部側に隣接するさらに他の感光体ユニットである感光体ユニット２００Ｃに形成された第１の凹部２４０Ｃに対向するように第２の凹部２４２Ｍが形成されているともいえる。
【００６７】
感光体ユニット２００Ｃ着目すると、感光体ユニット２００Ｃの第１の凹部２４０Ｃは、隣接する他の感光体ユニットである感光体ユニット２００Ｍに形成された第２の凹部２４２Ｍに対向する位置に形成されているといえる。また、感光体ユニット２００Ｃの第２の凹部２４２Ｃは、隣接する他の感光体ユニットである感光体ユニット２００Ｋに形成された第１の凹部２４０Ｋに対向する位置に形成されているといえる。
【００６８】
さらに、感光体ユニット２００Ｃには、一端部側に隣接する他の感光体ユニットである感光体ユニット２００Ｍに形成された第２の凹部２４２Ｍに対向するように第１の凹部２４０Ｃが形成され、他端部側に隣接するさらに他の感光体ユニットである感光体ユニット２００Ｋに形成された第１の凹部２４０Ｋに対向するように第２の凹部２４２Ｃが形成されているともいえる。
【００６９】
また、感光体ユニット２００Ｙ着目すると、感光体ユニット２００Ｙの第２の凹部２４２Ｙは、隣接する他の感光体ユニットである感光体ユニット２００Ｍに形成された第１の凹部２４０Ｍに対向する位置に形成されているといえる。
【００７０】
また、感光体ユニット２００Ｋ着目すると、感光体ユニット２００Ｃの第１の凹部２４０Ｋは、隣接する他の感光体ユニットである感光体ユニット２００Ｃに形成された第２の凹部２４２Ｃに対向する位置に形成されているといえる。
【００７１】
感光体ユニット２００Ｙの第１の凹部２４０Ｙ及び第２の凹部２４２Ｙは、感光体ユニット２００Ｙの長手方向における略中央部に形成されている。また、感光体ユニット２００Ｍの第１の凹部２４０Ｍ及び第２の凹部２４２Ｍは、感光体ユニット２００Ｍの長手方向における略中央部に形成されている。また、感光体ユニット２００Ｃの第１の凹部２４０Ｃ及び第２の凹部２４２Ｃは、感光体ユニット２００Ｃの長手方向における略中央部に形成されている。さらに、また、感光体ユニット２００Ｋの第１の凹部２４０Ｋ及び第２の凹部２４２Ｋは、感光体ユニット２００Ｋの長手方向における略中央部に形成されている。
【００７２】
また、互いに隣り合う複数の感光体ユニット２００間の隙間をＬ１とし、互いに隣り合う感光体ユニット２００の一方の、隣り合う感光体ユニット２００の側の位置に形成された第１の凹部の深さをＬ２とし、互いに隣り合う感光体ユニット２００に他方に、隣り合う感光体ユニット２００の側の位置に形成された第２の凹部の深さをＬ３とすると、以下に示す式（１）の関係を満たすようにそれぞれの感光体ユニット２００が配置されている。
【００７３】
Ｌ１  ＜  Ｌ２  ＋  Ｌ３  ・・・式（１）
【００７４】
図８には、変形例に係る感光体ユニット２００Ｙ、２００Ｍ、２００Ｃ、２００Ｋが示されている。
先述の実施形態に係る感光体ユニット２００では、それぞれの感光体ユニット２００に、第１の凹部２４０及び第２の凹部２４２が、それぞれ１つ形成されていた。これに対して、この変形例に係る感光体ユニット２００では、ぞれぞれの感光体ユニット２００に、第１の凹部２４０及び第２の凹部２４２が、それぞれ２つ形成されている。
【００７５】
２つ第１の凹部２４０は、それぞれの感光体ユニット２００の長手方向における両端部側にそれぞれ位置するように形成されている。また、２つの第２の凹部２４２は、ぞれぞれの感光体ユニット２００の長手方向における両端部側にそれぞれ位置するように形成されている。
【００７６】
図９には、本発明の第２の変形例に係る感光体ユニット２００Ｍが示されている。
先述の実施形態に係る感光体ユニット２００Ｍにおいては、第２の凹部２４２Ｍは、感光体ユニット本体２０２Ｍの外壁部で囲まれるようにして形成されていた。これに対して、この第２の変形例に係る感光体ユニット２００Ｍは、補強のために感光体ユニット本体２０２Ｍに装着された板金２５０Ｍを有し、板金２５０Ｍと感光体ユニット本体２０２とで囲まれるようにして第２の凹部２４２Ｍが形成されている。
【００７７】
尚、第２の変形例に係る感光体ユニット２００Ｙ、２００Ｃ、２００Ｋは、用いられるトナーの色は異なるものの第２の変形例に係る感光体ユニット２００Ｍと同じ構成であるため説明を省略する。
【００７８】
以上の説明においては、感光体ユニット２００Ｙ、２００Ｍ。２００Ｃ及び２００Ｋが、全て同一の形状であり同一の構成である場合を例として説明をしたが、感光体ユニット２００Ｙ、２００Ｍ。２００Ｃ及び２００Ｋは形状や構成が互いに異なるものであっても良い。
【産業上の利用可能性】
【００７９】
以上で説明をしたように、本発明は、例えば複写機、プリンタ、ファクシミリ装置等の画像形成装置と、これらの画像形成装置に着脱される像形成構造体とに適用することができる。
【符号の説明】
【００８０】
１０・・・画像形成装置
１６・・・画像形成装置本体
４０・・・画像形成部
６０・・・転写装置
６２・・・中間転写ベルト
２００・・・感光体ユニット
２０２・・・感光体ユニット本体
２１０・・・感光体ドラム
２１２・・・露出部分
２３０・・・シャッタ
２３２・・・支持部材
２４０・・・第１の凹部
２４２・・・第２の凹部
【図１】
2010210860.tif 000003
【図２】
2010210860.tif 000004
【図３】
2010210860.tif 000005
【図４】
2010210860.tif 000006
【図５】
2010210860.tif 000007
【図６】
2010210860.tif 000008
【図７】
2010210860.tif 000009
【図８】
2010210860.tif 000010
【図９】
2010210860.tif 000011